(57)【要約】【課題】ネットワークを介して接続された端末から送信された印刷データに基づいて印刷された印刷物を他の利用者に閲覧されることなく、利用者が回収することができる。【解決手段】端末３から送信された印刷データと認証ＩＤとを関連づけて記憶する認証印刷データ記憶部１４と、外部から読み込んだ認証ＩＤと認証印刷データ記憶部１４に記憶された認証ＩＤとが一致する場合に認証許可する認証部２０ａと、認証許可された場合に、記憶された印刷データに基づいて印刷する印刷部１５と、印刷部１５による印刷中に、認証許可された認証ＩＤを外部から読み込んだ場合に、操作の受付を拒否する操作禁止モードに設定すると共に、印刷部１５による印刷が終了した後に、認証許可された認証ＩＤを外部から読み込んだ場合に、操作の受付を許可する操作許可モードに設定する操作受付制御部２０ｂとを備える。【選択図】図４
2010111056.tif 000002
【特許請求の範囲】
【請求項１】
ネットワークを介して端末と接続され、前記端末から送信された印刷データに基づいて印刷を行う印刷装置であって、
前記端末から送信された印刷データと、この印刷データに付加された利用者を一意に識別する第１の認証情報とを関連づけて記憶する認証印刷データ記憶手段と、
前記利用者を一意に識別する第２の認証情報を外部から読み込み、この読み込んだ第２の認証情報と、前記認証印刷データ記憶手段に記憶された第１の認証情報とが一致する場合に、認証許可する認証手段と、
前記認証手段により認証許可された場合に、前記認証印刷データ記憶手段に記憶された印刷データに基づいて、印刷する印刷手段と、
前記印刷手段による印刷中に、前記認証手段により認証許可された第２の認証情報を外部から読み込んだ場合に、操作の受付を拒否する操作禁止モードに設定すると共に、前記印刷手段による印刷が終了した後に、前記認証手段により認証許可された第２の認証情報を外部から読み込んだ場合に、操作の受付を許可する操作許可モードに設定する操作受付制御手段と、
を備えたことを特徴とする印刷装置。
【請求項２】
ネットワークを介して端末と接続され、前記端末から送信された印刷データに基づいて印刷を行う印刷装置であって、
前記端末から送信された印刷データに付加された認証フラグが、利用者の認証に基づいた印刷処理である認証印刷処理を示しているか否かを判定する認証フラグ判定手段と、
前記認証フラグ判定手段により、前記認証フラグが認証印刷処理の実行を示していると判定された場合に、前記端末から送信された印刷データと、この印刷データに付加された利用者を一意に識別する第１の認証情報とを関連づけて記憶する認証印刷データ記憶手段と、
前記利用者を一意に識別する第２の認証情報を外部から読み込み、この読み込んだ第２の認証情報と、前記認証印刷データ記憶手段に記憶された第１の認証情報とが一致する場合に、認証許可する認証手段と、
前記認証手段により認証許可された場合に、前記認証印刷データ記憶手段に記憶された印刷データに基づいて、印刷する印刷手段と、
前記印刷手段による印刷中に、前記認証手段により認証許可された第２の認証情報を外部から読み込んだ場合に、操作の受付を拒否する操作禁止モードに設定すると共に、前記印刷手段による印刷が終了した後に、前記認証手段により認証許可された第２の認証情報を外部から読み込んだ場合に、操作の受付を許可する操作許可モードに設定する操作受付制御手段と、
を備えたことを特徴とする印刷装置。
【請求項３】
前記印刷手段により印刷された印刷物を蓄積する排紙トレイを囲む排紙トレイ筐体と、
前記排紙トレイ筐体を施錠又は解錠する錠開閉手段と、
前記印刷手段による印刷が終了した後に、前記認証手段により認証許可された第２の認証情報を外部から読み込んだ場合に、前記錠開閉手段を解錠させる錠制御手段と、
を更に備えることを特徴とする請求項１又は２に記載の印刷装置。
【発明の詳細な説明】
【技術分野】
【０００１】
本発明は、ネットワークを介して接続された端末から送信された印刷データに基づいて、印刷を実行する印刷装置に関し、特に、セキュリティ機能を高めた印刷装置に関する。
【背景技術】
【０００２】
一般的に、ネットワークを介して複数の端末と接続された印刷装置であって、複数の端末からネットワークを介して送信された印刷データに基づいて、印刷処理を実行する印刷装置がよく知られている。
【０００３】
このような、印刷装置では、ネットワークを介して複数の端末からの要求に応じて、印刷処理を実行するので、印刷された機密文書等が第三者に閲覧されることを防止する必要がある。
【０００４】
そこで、例えば特許文献１には、パスワード認証印刷に関する技術が開示されている。ここで、パスワード認証印刷とは、例えばプリンタの操作パネルからパスワードを入力することで印字を行う印刷形態である。即ち、パスワード認証印刷を望む利用者は、端末の印刷設定項目からパスワード認証印刷を指定して印刷動作を起動させる。その後、端末とプリンタ間で通信が確立され、端末が送信した印刷データが一時的にプリンタ内に格納される。利用者は適時都合のつく時にプリンタに出向き、操作パネルで自分のユーザＩＤとパスワードを入力する。そして、プリンタはパスワードが一致した場合、その利用者宛ての印刷データのリストを表示し、印刷データリストから所望の印刷データを指定すると、プリンタ内に格納されている印刷データを印字する。
【０００５】
しかしながら、特許文献１に記載の記述では、パスワード認証印刷を望む利用者は、プリンタの操作パネルからパスワードを入力しなければならず、利用者にとってこの入力操作が煩わしかった。
【０００６】
そこで、特許文献２には、ＩＣカードと接触させることにより、個人認証を行い、認証された場合には、認証印刷を行う画像形成装置が提案されている。具体的には、この画像形成装置は、ネットワークを介してホストＰＣにプリンタが接続され、利用者が印刷を実行しようとする際、プリンタに設けた非接触型ＩＣカード認識部に非接触媒体である非接触型ＩＣカードを接近させる。プリンタは、メモリに登録されている第一の識別情報と非接触型ＩＣカードから取得した第二の識別情報とを照合して、対応すると判断した場合は第一の識別情報に対応する印刷データを読み出して印刷制御部に対して出力するものである。
【特許文献１】特開平１１−２４９８４８号公報
【特許文献２】特開２００５−３３５２８２号公報
【発明の開示】
【発明が解決しようとする課題】
【０００７】
しかしながら、特許文献２に記載の画像形成装置では、ある利用者の操作により印刷を実行中に、他の利用者が、現在印刷中の印刷を中断して個人認証されると、他の印刷実行の操作を行うことが可能であった。このとき、他の利用者は先に印刷実行させた利用者の印刷物を閲覧することができるので、印刷が実行されている間、利用者は画像形成装置から離れ難いという問題があった。
【０００８】
また、印刷終了後においても、利用者が印刷された印刷物を回収することを失念し、印刷物がそのまま排紙トレイに放置され、他の利用者に閲覧されるという問題があった。
【０００９】
本発明は、上記課題に鑑みてなされたものであり、ネットワークを介して接続された端末から送信された印刷データに基づいて印刷された印刷物を他の利用者に閲覧されることなく、利用者が回収することができる印刷装置を提供することを目的とする。
【課題を解決するための手段】
【００１０】
上記目的を達成するため、本発明に係る印刷装置の第１の特徴は、ネットワークを介して端末と接続され、前記端末から送信された印刷データに基づいて印刷を行う印刷装置であって、前記端末から送信された印刷データと、この印刷データに付加された利用者を一意に識別する第１の認証情報とを関連づけて記憶する認証印刷データ記憶手段と、前記利用者を一意に識別する第２の認証情報を外部から読み込み、この読み込んだ第２の認証情報と、前記認証印刷データ記憶手段に記憶された第１の認証情報とが一致する場合に、認証許可する認証手段と、前記認証手段により認証許可された場合に、前記認証印刷データ記憶手段に記憶された印刷データに基づいて、印刷する印刷手段と、前記印刷手段による印刷中に、前記認証手段により認証許可された第２の認証情報を外部から読み込んだ場合に、操作の受付を拒否する操作禁止モードに設定すると共に、前記印刷手段による印刷が終了した後に、前記認証手段により認証許可された第２の認証情報を外部から読み込んだ場合に、操作の受付を許可する操作許可モードに設定する操作受付制御手段とを備えたことにある。
【００１１】
上記目的を達成するため、本発明に係る印刷装置の第２の特徴は、ネットワークを介して端末と接続され、前記端末から送信された印刷データに基づいて印刷を行う印刷装置であって、前記端末から送信された印刷データに付加された認証フラグが、利用者の認証に基づいた印刷処理である認証印刷処理を示しているか否かを判定する認証フラグ判定手段と、前記認証フラグ判定手段により、前記認証フラグが認証印刷処理の実行を示していると判定された場合に、前記端末から送信された印刷データと、この印刷データに付加された利用者を一意に識別する第１の認証情報とを関連づけて記憶する認証印刷データ記憶手段と、前記利用者を一意に識別する第２の認証情報を外部から読み込み、この読み込んだ第２の認証情報と、前記認証印刷データ記憶手段に記憶された第１の認証情報とが一致する場合に、認証許可する認証手段と、前記認証手段により認証許可された場合に、前記認証印刷データ記憶手段に記憶された印刷データに基づいて、印刷する印刷手段と、前記印刷手段による印刷中に、前記認証手段により認証許可された第２の認証情報を外部から読み込んだ場合に、操作の受付を拒否する操作禁止モードに設定すると共に、前記印刷手段による印刷が終了した後に、前記認証手段により認証許可された第２の認証情報を外部から読み込んだ場合に、操作の受付を許可する操作許可モードに設定する操作受付制御手段とを備えたことにある。
【００１２】
上記目的を達成するため、本発明に係る印刷装置の第３の特徴は、前記印刷手段により印刷された印刷物を蓄積する排紙トレイを囲む排紙トレイ筐体と、前記排紙トレイ筐体を施錠又は解錠する錠開閉手段と、前記印刷手段による印刷が終了した後に、前記認証手段により認証許可された第２の認証情報を外部から読み込んだ場合に、前記錠開閉手段を解錠させる錠制御手段とを更に備えることにある。
【発明の効果】
【００１３】
本発明に係る印刷装置によれば、ネットワークを介して接続された端末から送信された印刷データに基づいて印刷された印刷物を他の利用者に閲覧されることなく、利用者が回収することができる。
【発明を実施するための最良の形態】
【００１４】
以下、本発明の実施の形態を、図面を参照しながら詳細に説明する。
【実施例１】
【００１５】
本発明の実施例１では、認証印刷処理又は通常印刷処理を要求する端末と、この端末とネットワークを介して接続され、利用者の操作に基づいて、端末から送信された印刷データの認証印刷処理を実行する印刷装置を例に挙げて説明する。ここで、認証印刷処理とは、認証された認証ＩＤと端末から送信された印刷データとに基づいて印刷を行う処理をいい、通常印刷処理とは、認証にかかわらず、端末から送信された印刷データに基づいて印刷を行う処理をいう。
【００１６】
＜印刷システムの構成＞
図１は、本発明の実施例１である印刷装置が適用された印刷システムの構成を示した構成図である。
【００１７】
図１に示すように、印刷システム１０は、印刷装置１と、低機密情報印刷装置２と、端末３とを備えており、それぞれは、ネットワーク４を介して接続されている。
【００１８】
印刷装置１は、利用者の操作に基づいて、端末３から送信された印刷データを、端末３から認証印刷処理を要求する操作を行った利用者が、他の利用者に閲覧されることなく、印刷された印刷物を回収できるように認証印刷処理を実行する。なお、印刷装置１の構成については、後述する。
【００１９】
低機密情報印刷装置２は、利用者の操作に基づいて、端末３から送信された印刷データの通常印刷処理を実行する。具体的には、通常の印刷を望む利用者が、端末３に表示された印刷設定項目から通常印刷処理を指定して印刷を要求する操作を行うと、低機密情報印刷装置２は、端末３から送信された印刷データに基づいて印刷し、この印刷された印刷物を排紙トレイに排出する。
【００２０】
端末３は、利用者の操作により認証印刷処理が要求された場合に、ネットワーク４を介して印刷データを印刷装置１に送信すると共に、印刷装置１に認証印刷処理を実行させる。また、端末３は、利用者の操作により通常印刷処理が要求された場合に、ネットワーク４を介して印刷データを低機密情報印刷装置２に送信すると共に、低機密情報印刷装置２に通常印刷処理を実行させる。
【００２１】
図１に示すように、端末３は、ＣＰＵ３１と、メモリ３２と、ハードディスク３３とを備えており、それぞれはバス３４を介して接続されている。
【００２２】
ハードディスク３３は、認証情報記憶部３３ａと、装置情報記憶部３３ｂとを備えている。
【００２３】
認証情報記憶部３３ａは、印刷装置１により認証されるための認証ＩＤと、端末３へのログインＩＤであるログインＩＤと、利用者名とを関連づけて認証情報として記憶する。
【００２４】
図２は、認証情報記憶部３３ａが記憶している認証情報の一例を示した図である。
【００２５】
図２に示すように、カラム名“認証ＩＤ”（符号１０１）と、カラム名“ログインＩＤ”（符号１０２）と、カラム名“利用者名称”（符号１０３）とが関連付けられて認証情報として記憶されている。
【００２６】
装置情報記憶部３３ｂは、装置名称と、装置のネットワークアドレスである宛先アドレスと、装置が認証印刷処理を実行可能か否かを識別するための認証印刷可否フラグとを関連づけて装置情報として記憶する。
【００２７】
図３は、装置情報記憶部３３ｂが記憶している装置情報の一例を示した図である。
【００２８】
図３に示すように、カラム名“装置名称”（符号２０１）と、カラム名“宛先アドレス”（符号２０２）と、カラム名“認証印刷可否フラグ”（符号２０３）とが関連付けられて装置情報として記憶されている。
【００２９】
ＣＰＵ３１は、端末３の中枢的制御を行う。また、ＣＰＵ３１は、その機能上、印刷データ生成部３１ａと、印刷データ送信部３１ｂとを備えている。
【００３０】
印刷データ生成部３１ａは、各種アプリケーションプログラムやプリンタドライバソフトに従い、印刷データを生成する。また、印刷データ生成部３１ａは、利用者の操作により認証印刷処理が要求された場合に、認証情報記憶部３３ａに記憶された認証情報に基づいて、生成した印刷データに認証ＩＤを付加する。
【００３１】
印刷データ送信部３１ｂは、装置情報記憶部３３ｂに記憶された装置情報に基づいて、印刷データ生成部３１ａにより生成された印刷データ、又は認証ＩＤが付加された印刷データに、印刷させる装置の宛先アドレスを付加して、送信データを生成する。そして、印刷データ送信部３１ｂは、この生成された送信データをネットワーク４を介して印刷装置１、又は低機密情報印刷装置２に送信する。
【００３２】
メモリ３２は、揮発性半導体等で構成され、ＣＰＵ３１が各種処理を実行する上で必要なプログラムやデータを記憶する。
【００３３】
＜印刷装置１の構成＞
次に、本発明の実施例１である印刷装置１の構成について詳細に説明する。
【００３４】
図４は、本発明の実施例１である印刷装置１の構成を示した構成図である。
【００３５】
図４に示すように、印刷装置１は、ネットワークインタフェース部１１と、ＩＣ読み取り部１２と、外部メモリ読み取り部１３と、認証印刷データ記憶部１４と、印刷部１５と、排紙部１６と、機器制御部１７と、操作部１８と、システム制御部２０とを備えている。
【００３６】
ネットワークインタフェース部１１は、端末３との接続インタフェースであり、端末３から送信された送信データを受信する。
【００３７】
ＩＣ読み取り部１２は、非接触型のＩＣカードが近づけられたときに、その存在を認識し、ＩＣカードに記憶されている認証ＩＤを読み出す。
【００３８】
外部メモリ読み取り部１３は、例えば、ＵＳＢ（Universal Serial Bus）メモリ等で構成された外部メモリが接続されることにより、外部メモリに記憶されている認証ＩＤを読み出す。
【００３９】
図５は、本発明の実施例１である印刷装置１の外部メモリ読み取り部１３周辺の斜視図である。
【００４０】
図５に示すように、外部メモリ読み取り部１３は、外部メモリＡを接続する接続部１３ａを備えており、この接続部１３ａに外部メモリＡが接続されることにより、外部メモリＡに記憶されている認証ＩＤを読み出す。
【００４１】
認証印刷データ記憶部１４は、ネットワーク４を介して端末３から送信された送信データに含まれる認証ＩＤと、この認証ＩＤが付加された印刷データと、この印刷データに割り当てられた印刷ジョブ名とを記憶する。
【００４２】
図６は、認証印刷データ記憶部１４が記憶している認証ＩＤが付加された印刷データの一例を示した図である。
【００４３】
図６に示すように、カラム名“印刷ジョブ名”（符号３０１）と、カラム名“認証ＩＤ”（符号３０２）と、カラム名“印刷データ”（符号３０３）とが関連付けられて記憶されている。
【００４４】
図４に示す印刷部１５は、機器制御部１７からの指示に従い、印刷データに基づいて印刷を行う。
【００４５】
排紙部１６は、機器制御部１７からの指示に従い、印刷部１５により印刷された印刷物を排紙トレイ（図示しない）に排紙する。また、排紙部１６は、排紙トレイに排紙された印刷物を認証許可された利用者のみが取り出すことができるように、施錠又は解錠するロック機構１６ａを備えている。
【００４６】
図７は、本発明の実施例１である印刷装置１の斜視図である。
【００４７】
図７に示すように、排紙部１６は、印刷部１５により印刷された印刷物を蓄積する排紙トレイ１６ｂを備えており、この排紙トレイ１６ｂを囲むように、排紙トレイ筐体１６ｃが印刷装置１本体に固定されている。
【００４８】
ロック機構１６ａは、この排紙トレイ筐体１６ｃに取り付けられており、認証許可された利用者が排紙トレイ筐体１６ｃの蓋を開できるように解錠し、又は、認証許可されていない利用者が排紙トレイ筐体１６ｃの蓋を開できないように施錠する。
【００４９】
図４に示す機器制御部１７は、印刷部１５及び排紙部１６を制御する。
【００５０】
操作部１８は、操作ボタンやタッチパネルを備えており、操作信号を受け付けたり、必要な情報を表示したりする。
【００５１】
図８は、本発明の実施例１である印刷装置１に備えられた操作部１８を説明した図である。
【００５２】
図８に示すように、操作部１８は、各種操作ボタンを備えており、利用者によってこの操作ボタンが押下操作されると、操作信号を生成し、この生成した操作信号をシステム制御部２０へ供給する。例えば、操作ボタンの１つであるスタートボタン１８ａが、利用者により押下操作されることにより、印刷の開始を要求する操作信号を生成し、生成した操作信号をシステム制御部２０へ供給する。
【００５３】
また、操作部１８は、タッチパネル１８ｂを備えており、後述するように、操作部１８は、このタッチパネル１８ｂに印刷ジョブ名の一覧を表示する。そして、操作部１８は、利用者によって表示された印刷ジョブ名の一覧からいずれか１つを選択するタッチ操作がされると、この選択された印刷ジョブ名に対応する印刷データを印刷するための操作信号を生成し、生成した操作信号をシステム制御部２０へ供給する。
【００５４】
図４に示すシステム制御部２０は、印刷装置１の中枢的制御を行うと共に、操作禁止モード、又は操作許可モードのいずれかを設定する。ここで、操作禁止モードとは、システム制御部２０が、操作部１８からの操作を一切受け付けないモードのことをいい、操作許可モードとは、システム制御部２０が、操作部１８からの操作を受け付けるモードのことをいう。また、システム制御部２０は、その機能上、認証部２０ａと、操作受付制御部２０ｂと、錠制御部２０ｃとを備える。
【００５５】
認証部２０ａは、利用者を一意に識別する認証ＩＤを、ＩＣ読み取り部１２又は外部メモリ読み取り部１３から読み込み、この読み込んだ認証ＩＤと、認証印刷データ記憶部１４に記憶された認証ＩＤとが一致する場合に、認証許可する。
【００５６】
操作受付制御部２０ｂは、印刷部１５による印刷中に、認証部２０ａにより認証許可された認証ＩＤを、ＩＣ読み取り部１２又は外部メモリ読み取り部１３から読み込んだ場合に、操作の受付を拒否する操作禁止モードに設定すると共に、印刷部１５による印刷が終了した後に、認証部２０ａにより認証許可された認証ＩＤを、ＩＣ読み取り部１２又は外部メモリ読み取り部１３から読み込んだ場合に、操作の受付を許可する操作許可モードに設定する。
【００５７】
錠制御部２０ｃは、印刷部１５による印刷が終了した後に、認証部２０ａにより認証許可された認証ＩＤを、ＩＣ読み取り部１２又は外部メモリ読み取り部１３から読み込んだ場合に、ロック機構１６ａに解錠させる。
【００５８】
＜印刷システム１０の作用＞
次に、本発明の実施例１である印刷装置１が適用された印刷システム１０の作用について説明する。
【００５９】
本発明の実施例１である印刷装置１が適用された印刷システム１０は、主に印刷データ送信処理、印刷データ記憶処理、及び認証印刷処理を実行する。そのため、各々の処理について以下に詳細に説明する。
【００６０】
≪印刷データ送信処理≫
本発明の実施例１である印刷装置１が適用された印刷システム１０の端末３における印刷データ送信処理の詳細について説明する。
【００６１】
図９は、本発明の実施例１である印刷装置１が適用された印刷システム１０の端末３における印刷データ送信処理の処理フローを示したフローチャートである。
【００６２】
図９に示すように、端末３のＣＰＵ３１の印刷データ生成部３１ａは、印刷が要求された場合（ステップＳ１０１）、印刷データを生成する（ステップＳ１０２）。具体的には、端末３は、利用者により、印刷枚数、印刷用紙サイズ、及び認証印刷処理又は通常印刷処理の選択等が設定され、印刷の実行を要求する操作が行われると、アプリケーションプログラムやプリンタドライバソフトに従い、印刷データを生成する。
【００６３】
次に、印刷データ生成部３１ａは、ステップＳ１０１において認証印刷処理の選択が設定されたか否かを判定する（ステップＳ１０３）。
【００６４】
ステップＳ１０３において、認証印刷処理の選択されていないと判定された場合、印刷データ送信部３１ｂは、装置情報記憶部３３ｂに記憶された装置情報に基づいて、認証印刷可否フラグが“ＯＦＦ”に設定された装置に対応する宛先アドレスを、ステップＳ１０２において生成された印刷データに付加して、送信データを生成する（ステップＳ１０４）。
【００６５】
一方、ステップＳ１０３において、認証印刷処理が設定されていると判定された場合、ステップＳ１０２において生成された印刷データに認証ＩＤを付加する（ステップＳ１０５）。具体的には、印刷データ生成部３１ａは、ハードディスク３３の認証情報記憶部３３ａが記憶している認証情報に基づいて、印刷を要求する操作を行った利用者、即ち印刷を要求する操作を行ったときにログインしているログインＩＤに対応する認証ＩＤを抽出し、この抽出された認証ＩＤを印刷データに付加する。
【００６６】
次に、端末３のＣＰＵ３１の印刷データ送信部３１ｂは、装置情報記憶部３３ｂに記憶された装置情報に基づいて、認証印刷可否フラグが“ＯＮ”に設定された装置に対応する宛先アドレスを、ステップＳ１０５において生成された認証ＩＤが付加された印刷データに付加して送信データを生成する（ステップＳ１０６）。
【００６７】
図１０は、印刷データ送信部３１ｂがステップＳ１０６において生成した送信データの一例を示した図ある。
【００６８】
図１０に示すように、送信データは、印刷データ４０３に、認証ＩＤ４０２と、宛先アドレス４０１とが付加されている。
【００６９】
次に、印刷データ送信部３１ｂは、ステップＳ１０４又はステップＳ１０６において生成された送信データに含まれる宛先アドレスが示す装置へ送信データを送信する（ステップＳ１０７）。例えば、印刷データ送信部３１ｂは、ステップＳ１０４において生成された送信データを、低機密情報印刷装置２へ送信し、ステップＳ１０６において生成された送信データを、印刷装置１へ送信する。
【００７０】
なお、ステップＳ１０６において、認証印刷可否フラグが“ＯＮ”に設定された装置に対応する宛先アドレスが複数存在する場合、印刷データ送信部３１ｂは、複数の装置の装置名称を表示画面に一覧表示させると共に、利用者の操作に基づいて選択された装置に対応する宛先アドレスを印刷データに付加して送信データを生成するようにしてもよい。
【００７１】
≪印刷データ記憶処理≫
本発明の実施例１である印刷装置１における印刷データ記憶処理の詳細について説明する。
【００７２】
図１１は、本発明の実施例１である印刷装置１における印刷データ記憶処理の処理フローを示したフローチャートである。
【００７３】
印刷装置１のシステム制御部２０は、ネットワークインタフェース部１１を介して端末３により送信された送信データを受信すると（ステップＳ２０１）、受信した送信データから、認証ＩＤと印刷データとを抽出し、この抽出された認証ＩＤと、印刷データと、割り当てられた印刷ジョブ名とを関連づけて認証印刷データ記憶部１４に記憶させる（ステップＳ２０２）。
【００７４】
≪認証印刷処理≫
本発明の実施例１である印刷装置１における認証印刷処理の詳細について説明する。
【００７５】
図１２は、本発明の実施例１である印刷装置１における認証印刷処理の処理フローを示したフローチャートである。
【００７６】
印刷装置１のシステム制御部２０の認証部２０ａは、外部メモリ又はＩＣカードを認識したか否かを判定する（ステップＳ３０１）。
【００７７】
ステップＳ３０１において、外部メモリ又はＩＣカードを認識したと判定された場合、認証部２０ａは、認識した外部メモリ又はＩＣカードに記憶された認証ＩＤを抽出する（ステップＳ３０２）。
【００７８】
そして、認証部２０ａは、ステップＳ３０２において抽出された認証ＩＤの認証を行うことにより、この認証ＩＤを認証許可するか否かを判定する（ステップＳ３０３）。具体的には、認証部２０ａは、認証印刷データ記憶部１４の中にステップＳ３０２において抽出された認証ＩＤがあると判定した場合、この認証ＩＤを認証許可する。
【００７９】
ステップＳ３０３において認証許可された場合、認証部２０ａは、認証印刷データ記憶部１４から、この認証許可された認証ＩＤに関連づけられた印刷ジョブ名を読み出す（ステップＳ３０４）。
【００８０】
次に、認証部２０ａは、読み出された印刷ジョブ名の一覧を操作部１８のタッチパネル１８ｂに表示させる（ステップＳ３０５）。
【００８１】
そして、利用者が、操作部１８のタッチパネル１８ｂに表示された印刷ジョブ名の一覧から、いずれか１つを選択するタッチ操作を行うと、認証部２０ａは、操作部１８から、印刷ジョブ名の一覧の中からいずれか１つを選択する操作信号を受け付ける（ステップＳ３０６）。
【００８２】
そして、利用者が操作部１８のスタートボタン１８ａを押下操作することにより、システム制御部２０が、印刷の開始を要求する操作信号を受け付けた場合（ステップＳ３０７）、機器制御部１７が、印刷部１５に、ステップＳ３０６において選択された印刷ジョブ名に対応する印刷データの印刷を開始させる（ステップＳ３０８）。
【００８３】
次に、システム制御部２０の操作受付制御部２０ｂは、印刷部１５による印刷が終了したか否かを判定する（ステップＳ３０９）。
【００８４】
ステップＳ３０９において、印刷部１５による印刷が終了していないと判定した場合、操作受付制御部２０ｂは、外部メモリ又はＩＣカードを認識したか否かを判定する（ステップＳ３１０）。
【００８５】
ステップＳ３１０において、外部メモリ又はＩＣカードを認識していないと判定された場合、処理をステップＳ３０９へ移行し、外部メモリ又はＩＣカードを認識したと判定された場合、認識した外部メモリ又はＩＣカードに記憶された認証ＩＤが現在印刷中の印刷データに関連づけられた認証ＩＤと一致するか否かを判定する（ステップＳ３１１）。具体的には、ステップＳ３０９において認識された外部メモリ又はＩＣカードに記憶された認証ＩＤが、ステップＳ３０３において認証許可された認証ＩＤと一致するか否かを判定する。
【００８６】
そして、ステップＳ３１１において、認識した外部メモリ又はＩＣカードに記憶された認証ＩＤが現在印刷中の印刷データに関連づけられた認証ＩＤと一致すると判定された場合、操作禁止モードに設定する（ステップＳ３１２）。
【００８７】
一方、ステップＳ３０９において、印刷部１５による印刷が終了したと判定された場合、錠制御部２０ｃは、外部メモリ又はＩＣカードを認識したか否かを判定する（ステップＳ３１３）。
【００８８】
ステップＳ３１３において、外部メモリ又はＩＣカードを認識したと判定された場合、認識した外部メモリ又はＩＣカードに記憶された認証ＩＤが印刷を終了した印刷データに関連づけられた認証ＩＤと一致するか否かを判定する（ステップＳ３１４）。具体的には、ステップＳ３１３において認識された外部メモリ又はＩＣカードに記憶された認証ＩＤが、ステップＳ３１０において認識された外部メモリ又はＩＣカードに記憶された認証ＩＤと一致するか否かを判定する。
【００８９】
そして、ステップＳ３１４において、認識した外部メモリ又はＩＣカードに記憶された認証ＩＤが印刷を終了した印刷データに関連づけられた認証ＩＤと一致すると判定された場合、機器制御部１７は、排紙部１６のロック機構１６ａに解錠させる（ステップＳ３１５）。
【００９０】
次に、利用者が印刷装置１の排紙部１６の排紙トレイ筐体１６ｃの蓋を開けて、印刷された印刷物を取り出した後、排紙トレイ筐体１６ｃの蓋を閉じると、機器制御部１７は、排紙トレイ筐体１６ｃの蓋が閉じられたことを検出し（ステップＳ３１６）、排紙部１６のロック機構１６ａに施錠させる（ステップＳ３１７）。
【００９１】
そして、操作受付制御部２０ｂは、操作許可モードに設定する（ステップＳ３１８）。
【００９２】
以上のように、本実施例１である印刷装置１によれば、認証印刷処理の実行中、認証許可された利用者以外の利用者は、印刷装置１を操作することができず、また、認証印刷処理の終了後、認証許可された利用者以外の利用者は、印刷装置１から印刷物を回収することができないので、ネットワーク４を介して接続された端末３から送信された印刷データに基づいて印刷された印刷物を他の利用者に閲覧されることなく、利用者が回収することができる。
【００９３】
なお、本実施例１である印刷装置１は、印刷を終了した後、一定時間経過しても、外部メモリ又はＩＣカードを認識しない場合、印刷物の回収を促すメッセージを出力するようにしてもよい。例えば、印刷装置１が「ロックを解除してください」等のメッセージを含むメールをネットワーク４を介して端末３へ送信したり、端末３の表示画面に表示させるようにしてもよい。これにより、排紙部１６の排紙トレイが長時間占有されることを防止することができる。
【００９４】
また、本実施例１である印刷装置１では、認証情報のうち認証ＩＤを用いて認証を行う構成としたが、これに限らず、利用者を一意に識別する認証情報であればよい。
【００９５】
具体的には、本実施例１である印刷装置１では、認証情報記憶部３３ａに記憶された印刷装置１により認証されるための認証ＩＤと、端末３へのログインＩＤであるログインＩＤとを異なるＩＤとしたが、これに限らず、認証ＩＤとログインＩＤとを同一のＩＤとし、端末３と印刷装置１との間で、統一したＩＤを用いるようにしてもよい。
【実施例２】
【００９６】
本発明の実施例１では、認証印刷処理又は通常印刷処理を要求する端末と、この端末とネットワークを介して接続され、利用者の操作に基づいて、端末から送信された印刷データの認証印刷処理を実行する印刷装置を例に挙げて説明した。
【００９７】
本発明の実施例２では、認証印刷処理又は通常印刷処理を要求する端末と、この端末とネットワークを介して接続され、利用者の操作に基づいて、端末から送信された印刷データの認証印刷処理又は通常印刷処理を実行する印刷装置を例に挙げて説明する。
【００９８】
＜印刷システムの構成＞
図１３は、本発明の実施例２である印刷装置が適用された印刷システムの構成を示した構成図である。
【００９９】
図１３に示すように、印刷システム１０Ａは、印刷装置１Ａと、端末３Ａとを備えており、それぞれは、ネットワーク４を介して接続されている。
【０１００】
印刷装置１Ａは、利用者の操作に基づいて、端末３Ａから送信された印刷データの認証印刷処理を実行する。具体的には、認証印刷処理を望む利用者が、端末３Ａに表示された印刷設定項目から認証印刷処理を指定して印刷を要求する操作を行うと、印刷装置１Ａは、他の利用者に閲覧されることなく、印刷された印刷物を回収できるように認証印刷処理を実行する。
【０１０１】
また、印刷装置１Ａは、利用者の操作に基づいて、端末３Ａから送信された印刷データの通常印刷処理を実行する。具体的には、通常の印刷を望む利用者が、端末３Ａに表示された印刷設定項目から通常印刷処理を指定して印刷を要求する操作を行うと、印刷装置１Ａは、端末３Ａから送信された印刷データに基づいて印刷し、この印刷された印刷物を、排紙トレイ筐体に囲まれていない排紙トレイに排出する。なお、印刷装置１Ａの構成については、後述する。
【０１０２】
端末３Ａは、利用者の操作により認証印刷処理が要求された場合に、ネットワーク４を介して印刷データを印刷装置１Ａに送信すると共に、印刷装置１Ａに認証印刷処理を実行させる。また、端末３は、利用者の操作により通常印刷処理が要求された場合に、ネットワーク４を介して印刷データを印刷装置１Ａに送信すると共に、印刷装置１Ａに通常印刷処理を実行させる。
【０１０３】
図１３に示すように、端末３Ａは、ＣＰＵ３１Ａと、メモリ３２と、ハードディスク３３とを備えており、それぞれはバス３４を介して接続されている。ここで、端末３Ａが備える構成のうち、メモリ３２と、ハードディスク３３とは、それぞれ本発明の実施例１である印刷装置１が適用された印刷システム１０の端末３が備えるそれぞれ同一符号が付された構成と同一であるので、説明を省略する。
【０１０４】
ＣＰＵ３１Ａは、端末３Ａの中枢的制御を行う。また、ＣＰＵ３１Ａは、その機能上、印刷データ生成部３１ｃと、印刷データ送信部３１ｂとを備えている。
【０１０５】
印刷データ生成部３１ｃは、各種アプリケーションプログラムやプリンタドライバソフトに従い、印刷データを生成する。また、印刷データ生成部３１ａは、利用者の操作により認証印刷処理が要求された場合に、認証情報記憶部３３ａに記憶された認証情報に基づいて、生成した印刷データに認証ＩＤを付加すると共に、認証印刷処理が要求されたか否かを示す認証フラグの値を“ＯＮ”に設定し、生成した印刷データに、この認証フラグを更に付加する。さらに、印刷データ生成部３１ａは、利用者の操作により通常印刷処理が要求された場合に、生成した印刷データに認証印刷処理が要求されたか否かを示す認証フラグの値を“ＯＦＦ”に設定し、生成した印刷データに、この認証フラグを付加する。
【０１０６】
印刷データ送信部３１ｂは、装置情報記憶部３３ｂに記憶された装置情報に基づいて、印刷データ生成部３１ｃにより生成された認証フラグが付加された印刷データ、又は認証ＩＤ及び認証フラグが付加された印刷データに、印刷させる装置の宛先アドレスを付加して、送信データを生成する。そして、印刷データ送信部３１ｂは、この生成された送信データをネットワーク４を介して印刷装置１Ａに送信する。
【０１０７】
＜印刷装置１Ａの構成＞
次に、本発明の実施例２である印刷装置１Ａの構成について詳細に説明する。
【０１０８】
図１４は、本発明の実施例２である印刷装置１Ａの構成を示した構成図である。
【０１０９】
図１４に示すように、印刷装置１Ａは、ネットワークインタフェース部１１と、ＩＣ読み取り部１２と、外部メモリ読み取り部１３と、印刷部１５と、排紙部１６Ａと、機器制御部１７Ａと、操作部１８と、システム制御部２０Ａと、印刷データ記憶部２１と、認証印刷データ記憶部２２とを備えている。ここで、印刷装置１Ａが備える構成のうち、ネットワークインタフェース部１１と、ＩＣ読み取り部１２と、外部メモリ読み取り部１３と、印刷部１５と、操作部１８とは、それぞれ本発明の実施例１である印刷装置１が備えるそれぞれ同一符号が付された構成と同一であるので、説明を省略する。
【０１１０】
印刷データ記憶部２１は、後述するシステム制御部２０Ａの認証フラグ判定部２０ｄにより、ネットワーク４を介して端末３から送信された送信データに含まれる認証フラグが“ＯＦＦ”であると判定された場合に、送信された送信データに含まれる印刷データと、この印刷データに割り当てられた印刷ジョブ名とを記憶する。
【０１１１】
認証印刷データ記憶部２２は、後述するシステム制御部２０Ａの認証フラグ判定部２０ｄにより、ネットワーク４を介して端末３から送信された送信データに含まれる認証フラグが“ＯＮ”であると判定された場合に、送信された送信データに含まれる認証ＩＤと、印刷データと、この印刷データに割り当てられた印刷ジョブ名とを記憶する。
【０１１２】
排紙部１６Ａは、排紙トレイ筐体に囲まれた認証印刷用排紙トレイ及び通常印刷用排紙トレイ（図示しない）を備えており、機器制御部１７Ａからの指示に従い、印刷部１５により印刷された印刷物を認証印刷用排紙トレイ又は通常印刷用排紙トレイに排紙する。
【０１１３】
また、排紙部１６Ａは、認証印刷処理により印刷されて認証印刷用排紙トレイに排紙された印刷物を認証許可された利用者のみが取り出すことができるように、排紙トレイ筐体を施錠又は解錠するロック機構１６ａを備えている。
【０１１４】
機器制御部１７Ａは、認証印刷制御部１７ａと、通常印刷制御部１７ｂとを備えており、それぞれが、印刷部１５及び排紙部１６Ａを制御する。
【０１１５】
認証印刷制御部１７ａは、システム制御部２０Ａの指示に基づき、印刷部１５に印刷させると共に、印刷部１５により印刷された印刷物を認証印刷用排紙トレイに排紙させる。
【０１１６】
通常印刷制御部１７ｂは、システム制御部２０Ａの指示に基づき、印刷部１５に印刷させると共に、印刷部１５により印刷された印刷物を通常印刷用排紙トレイに排紙させる。
【０１１７】
システム制御部２０Ａは、印刷装置１Ａの中枢的制御を行うと共に、操作禁止モード、又は操作許可モードのいずれかを設定する。
【０１１８】
また、システム制御部２０Ａは、その機能上、認証部２０ａと、操作受付制御部２０ｂと、錠制御部２０ｃと、認証フラグ判定部２０ｄとを備える。
【０１１９】
認証部２０ａは、利用者に関する認証ＩＤを、ＩＣ読み取り部１２又は外部メモリ読み取り部１３から読み込み、この読み込んだ認証ＩＤと、認証印刷データ記憶部２２に記憶された認証ＩＤとが一致する場合に、認証許可する。
【０１２０】
操作受付制御部２０ｂは、印刷部１５による印刷中に、認証部２０ａにより認証許可された認証ＩＤを、ＩＣ読み取り部１２又は外部メモリ読み取り部１３から読み込んだ場合に、操作の受付を拒否する操作禁止モードに設定すると共に、印刷部１５による印刷が終了した後に、認証部２０ａにより認証許可された認証ＩＤを、ＩＣ読み取り部１２又は外部メモリ読み取り部１３から読み込んだ場合に、操作の受付を許可する操作許可モードに設定する。
【０１２１】
錠制御部２０ｃは、印刷部１５による印刷が終了した後に、認証部２０ａにより認証許可された認証ＩＤを、ＩＣ読み取り部１２又は外部メモリ読み取り部１３から読み込んだ場合に、ロック機構１６ａに解錠させる。
【０１２２】
認証フラグ判定部２０ｄは、端末３Ａから送信された印刷データに付加された認証フラグが、利用者の認証に基づいた印刷処理である認証印刷処理の実行を示しているか、即ち、認証フラグの値が“ＯＮ”であるか否かを判定する。
【０１２３】
＜印刷システム１０Ａの作用＞
次に、本発明の実施例２である印刷装置１Ａが適用された印刷システム１０Ａの作用について説明する。
【０１２４】
本発明の実施例２である印刷装置１Ａが適用された印刷システム１０Ａは、主に印刷データ送信処理、印刷データ記憶処理、通常印刷処理、及び認証印刷処理を実行する。このうち、認証印刷処理については、本発明の実施例１である印刷装置１が実行する認証印刷処理と同一であるので、以下に印刷データ送信処理、印刷データ記憶処理、及び通常印刷処理について説明する。
【０１２５】
≪印刷データ送信処理≫
本発明の実施例２である印刷装置１Ａが適用された印刷システム１０Ａの端末３Ａにおける印刷データ送信処理の詳細について説明する。
【０１２６】
図１５は、本発明の実施例２である印刷装置１Ａが適用された印刷システム１０Ａの端末３Ａにおける印刷データ送信処理の処理フローを示したフローチャートである。ここで、図１５に示すステップＳ１０１〜Ｓ１０３の処理については、図９に示した本発明の実施例１である印刷装置１が適用された印刷システム１０の端末３における印刷データ送信処理におけるステップＳ１０１〜Ｓ１０３の処理と同一であるので、説明を省略する。
【０１２７】
図１５に示すように、ステップＳ１０３において、認証印刷処理が選択されていないと判定された場合、印刷データ生成部３１ｃは、認証フラグを“ＯＦＦ”に設定し、この設定された認証フラグをステップＳ１０２において生成された印刷データに付加する（ステップＳ４０１）。
【０１２８】
次に、印刷データ送信部３１ｂは、装置情報記憶部３３ｂに記憶された装置情報に基づいて、ステップＳ４０１において認証フラグが付加された印刷データに、印刷装置１Ａに対応する宛先アドレスを付加して、送信データを生成する（ステップＳ４０２）。
【０１２９】
一方、ステップＳ１０３において、認証印刷処理が選択されていると判定された場合、ステップＳ１０２において生成された印刷データに認証ＩＤを付加する（ステップＳ４０３）。具体的には、印刷データ生成部３１ａは、ハードディスク３３の認証情報記憶部３３ａが記憶している認証情報に基づいて、印刷を要求する操作を行った利用者、即ち印刷を要求する操作を行ったときにログインしているログインＩＤに対応する認証ＩＤを抽出し、この抽出された認証ＩＤを印刷データに付加する。
【０１３０】
次に、印刷データ生成部３１ｃは、認証フラグを“ＯＮ”に設定し、この設定された認証フラグをステップＳ４０３において認証ＩＤが付加された印刷データに、“ＯＮ”に設定された認証フラグを付加する（ステップＳ４０４）。
【０１３１】
そして、端末３ＡのＣＰＵ３１Ａの印刷データ送信部３１ｂは、装置情報記憶部３３ｂに記憶された装置情報に基づいて、印刷装置１Ａに対応する宛先アドレスを、ステップＳ４０４において生成された認証ＩＤ及び認証フラグが付加された印刷データに付加して送信データを生成する（ステップＳ４０５）。
【０１３２】
図１６は、印刷データ送信部３１ｂがステップＳ４０５において生成した送信データの一例を示した図ある。
【０１３３】
図１６に示すように、送信データは、印刷データ４０３に、認証ＩＤ４０２と、認証フラグ４０４と、宛先アドレス４０１とが付加されている。
【０１３４】
次に、印刷データ送信部３１ｂは、ステップＳ４０２又はステップＳ４０５において生成された送信データに含まれる宛先アドレスが示す装置へ送信データを送信する（ステップＳ４０６）。
【０１３５】
≪印刷データ記憶処理≫
本発明の実施例２である印刷装置１Ａにおける印刷データ記憶処理の詳細について説明する。
【０１３６】
図１７は、本発明の実施例２である印刷装置１Ａにおける印刷データ記憶処理の処理フローを示したフローチャートである。
【０１３７】
印刷装置１Ａのシステム制御部２０Ａは、ネットワークインタフェース部１１を介して端末３により送信された送信データを受信すると（ステップＳ５０１）、システム制御部２０Ａの認証フラグ判定部２０ｄは、受信した送信データに含まれる認証フラグの値が、“ＯＮ”に設定されているか否かを判定する（ステップＳ５０２）。
【０１３８】
ステップＳ５０２において、認証フラグの値が、“ＯＦＦ”に設定されていると判定された場合、認証フラグ判定部２０ｄは、ステップＳ５０１において受信した送信データに含まれる印刷データと割り当てられた印刷ジョブ名とを関連づけて印刷データ記憶部２１に記憶させる（ステップＳ５０３）。
【０１３９】
そして、機器制御部１７Ａの通常印刷制御部１７ｂが、通常印刷処理を実行する（ステップＳ５０４）。
【０１４０】
一方、ステップＳ５０２において、認証フラグの値が、“ＯＮ”に設定されていると判定された場合、認証フラグ判定部２０ｄは、ステップＳ５０１において受信した送信データに含まれる印刷データと、認証ＩＤと、割り当てられた印刷ジョブ名とを関連づけて認証印刷データ記憶部２２に記憶させる（ステップＳ５０５）。
【０１４１】
そして、システム制御部２０Ａ及び機器制御部１７Ａの認証印刷制御部１７ａが、認証印刷処理を実行する（ステップＳ５０６）。
【０１４２】
≪通常印刷処理≫
図１７のステップＳ５０４に示した通常印刷処理について説明する。
【０１４３】
本発明の実施例２である印刷装置１Ａの機器制御部１７Ａの通常印刷制御部１７ｂは、印刷データ記憶部２１に印刷データが記憶されると、この記憶された印刷データに基づいて、印刷部１５に印刷させる。
【０１４４】
具体的には、機器制御部１７Ａの通常印刷制御部１７ｂが、システム制御部２０Ａの指示に基づき、印刷部１５に印刷させると共に、印刷部１５により印刷された印刷物を通常印刷用排紙トレイに排紙させる。
【０１４５】
以上のように、本実施例２である印刷装置１Ａによれば、認証印刷処理の実行中、認証許可された利用者以外の利用者は、印刷装置１Ａを操作することができず、また、認証印刷処理の終了後、認証許可された利用者以外の利用者は、印刷装置１Ａから印刷物を回収することができないので、ネットワーク４を介して接続された端末３Ａから送信された機密データに基づいて印刷された印刷物を他の利用者に閲覧されることなく、利用者が回収することができる。
【０１４６】
また、本実施例２である印刷装置１Ａによれば、端末３Ａにより送信された送信データに含まれる認証フラグの値が、“ＯＮ”に設定されている場合には、認証印刷処理を実行し、認証フラグの値が、“ＯＦＦ”に設定されている場合には、通常印刷処理を実行するので、利用者は、印刷したい印刷データの秘匿性に応じて、印刷装置１Ａに認証印刷処理を実行させるか、又は通常印刷処理を実行させるかを選択することができるので、より効率的に認証印刷を行うことができる。
【図面の簡単な説明】
【０１４７】
【図１】本発明の実施例１である印刷装置が適用された印刷システムの構成を示した構成図である。
【図２】本発明の実施例１である印刷装置が適用された印刷システムの端末が備える認証情報記憶部が記憶している認証情報の一例を示した図である。
【図３】本発明の実施例１である印刷装置が適用された印刷システムの端末が備える装置情報記憶部が記憶している装置情報の一例を示した図である。
【図４】本発明の実施例１である印刷装置の構成を示した構成図である。
【図５】本発明の実施例１である印刷装置の外部メモリ読み取り部周辺の斜視図である。
【図６】本発明の実施例１である印刷装置の認証印刷データ記憶部が記憶している認証ＩＤが付加された印刷データの一例を示した図である。
【図７】本発明の実施例１である印刷装置の斜視図である。
【図８】本発明の実施例１である印刷装置に備えられた操作部を説明した図である。
【図９】本発明の実施例１である印刷装置が適用された印刷システムの端末における印刷データ送信処理の処理フローを示したフローチャートである。
【図１０】本発明の実施例１である印刷装置が適用された印刷システムの端末の印刷データ送信部が生成した送信データの一例を示した図ある。
【図１１】本発明の実施例１である印刷装置における印刷データ記憶処理の処理フローを示したフローチャートである。
【図１２】本発明の実施例１である印刷装置における認証印刷処理の処理フローを示したフローチャートである。
【図１３】本発明の実施例２である印刷装置が適用された印刷システムの構成を示した構成図である。
【図１４】本発明の実施例２である印刷装置の構成を示した構成図である。
【図１５】本発明の実施例２である印刷装置が適用された印刷システムの端末における印刷データ送信処理の処理フローを示したフローチャートである。
【図１６】本発明の実施例１である印刷装置が適用された印刷システムの端末３の印刷データ送信部が生成した送信データの一例を示した図ある。
【図１７】本発明の実施例２である印刷装置における印刷データ記憶処理の処理フローを示したフローチャートである。
【符号の説明】
【０１４８】
１，１Ａ…印刷装置
２…低機密情報印刷装置
３，３Ａ…端末
４…ネットワーク
１０，１０Ａ…印刷システム
１１…ネットワークインタフェース部
１２…ＩＣ読み取り部
１３…外部メモリ読み取り部
１４…認証印刷データ記憶部
１５…印刷部
１６，１６Ａ…排紙部
１６ａ…ロック機構（錠開閉手段）
１６ｂ…排紙トレイ
１６ｃ…排紙トレイ筐体
１７，１７Ａ…機器制御部
１７ａ…認証印刷制御部
１７ｂ…通常印刷制御部
１８…操作部
２０，２０Ａ…システム制御部
２０ａ…認証部
２０ｂ…操作受付制御部
２０ｃ…錠制御部
２０ｄ…認証フラグ判定部
２１…印刷データ記憶部
２２…認証印刷データ記憶部
３１，３１Ａ…ＣＰＵ
３１ａ，３１ｃ…印刷データ生成部
３１ｂ…印刷データ送信部
３３…ハードディスク
３３ａ…認証情報記憶部
３３ｂ…装置情報記憶部
【図１】
2010111056.tif 000003
【図２】
2010111056.tif 000004
【図３】
2010111056.tif 000005
【図４】
2010111056.tif 000006
【図５】
2010111056.tif 000007
【図６】
2010111056.tif 000008
【図７】
2010111056.tif 000009
【図８】
2010111056.tif 000010
【図９】
2010111056.tif 000011
【図１０】
2010111056.tif 000012
【図１１】
2010111056.tif 000013
【図１２】
2010111056.tif 000014
【図１３】
2010111056.tif 000015
【図１４】
2010111056.tif 000016
【図１５】
2010111056.tif 000017
【図１６】
2010111056.tif 000018
【図１７】
2010111056.tif 000019